(57)【要約】      （修正有）【課題】収納棚の組み立てや設置の際に使用される種々の取付具をできるだけ遮蔽しつつ、収納棚を容易に設置することが可能な収納棚の設置構造を提供する。【解決手段】複数の側板１０は、壁面５２に固定される一方の取付板部２ａと、この一方の取付板部２ａに直交して側板１０に固定される他方の取付板部２ｂとを備え、平面視Ｌ字状に形成された側板取付具２を介して、壁面５２に取付固定されており、複数の棚板のうち、一部の棚板４０ａには、この一部の棚板４０ａの側端面を切り欠くことによって切欠部４０ｂが形成され、この切欠部４０ｂに側板取付具２の他方の取付板部２ｂが収納された収納棚１の設置構造。これにより、収納棚を壁面に対して容易に固定設置でき、しかも、一部の棚板によって側板取付具を確実に遮蔽することができる。【選択図】図２
2008279115.tif 000002
【特許請求の範囲】
【請求項１】
床面から天井までの高さを有する複数の側板が、所定の間隔をあけて立設されており、これら複数の側板の上端部間に、天井に当接する天板が取り付けられるとともに、複数の側板の下端部間に、床面に当接する地板が取り付けられ、さらに複数の側板間に、これら複数の側板間に架け渡される棚板が上下方向に間隔をあけて複数取り付けられており、
前記複数の側板は、前記壁面に固定される一方の取付板部と、この一方の取付板部に直交して前記側板に固定される他方の取付板部とを備え、平面視Ｌ字状に形成された側板取付具を介して、前記壁面に取付固定されており、
前記複数の棚板のうち、一部の棚板には、この一部の棚板の側端面を切り欠くことによって切欠部が形成されており、この切欠部に前記側板取付具の他方の取付板部が収納されていることを特徴とする収納棚の設置構造。
【請求項２】
請求項１に記載の収納棚の設置構造において、
前記天板には、この天板の側端部上面および側端面に開放する孔部が形成されるとともに、この孔部には、前記側板から突出して設けられるダボ材が係合される係合部材が設けられており、
前記天板は、前記ダボ材と前記係合部材とが係合されることによって、前記複数の側板の上端部間に取り付けられていることを特徴とする収納棚の設置構造。
【請求項３】
床面から天井までの高さを有する複数の側板が、所定の間隔をあけて立設されており、これら複数の側板の上端部間に、天井に当接する天板が取り付けられるとともに、複数の側板の下端部間に、床面に当接する地板が取り付けられ、さらに複数の側板間に、これら複数の側板間に架け渡される棚板が上下方向に間隔をあけて複数取り付けられており、
前記複数の側板は、前記天井に固定される一方の取付板部と、この一方の取付板部に直交して前記側板の上端部に固定される他方の取付板部とを備え、正面視Ｌ字状に形成された側板取付具を介して、前記天井に取付固定されており、
前記天板には、この天板の側端部上面を切り欠くことによって切欠部が形成されており、この切欠部に前記側板取付具が収納されていることを特徴とする収納棚の設置構造。
【請求項４】
請求項１〜３のいずれか一項に記載の収納棚の設置構造において、
前記複数の側板は、前記床面に固定される一方の取付板部と、この一方の取付板部に直交して前記側板の下端部に固定される他方の取付板部とを備え、正面視Ｌ字状に形成された側板取付具を介して、前記床面に取付固定されており、
前記地板には、この地板の側端部下面を切り欠くことによって切欠部が形成されており、この切欠部に前記側板取付具が収納されていることを特徴とする収納棚の設置構造。
【請求項５】
請求項１〜４のいずれか一項に記載の収納棚の設置構造において、
前記棚板には、この側板の側端部下面および側端面に開放する孔部が形成されるとともに、この孔部には、前記側板から突出して設けられるダボ材が係合される係合部材が設けられており、
前記棚板は、前記ダボ材と前記係合部材とが係合されることによって、前記複数の側板間に取り付けられていることを特徴とする収納棚の設置構造。
【発明の詳細な説明】
【技術分野】
【０００１】
本発明は、床面から天井までの高さを有する収納棚の設置構造に関する。
【背景技術】
【０００２】
従来、物品を収納するための収納棚が知られている（例えば、特許文献１参照）。この特許文献１によれば、側板に形成された上下に隣り合うダボ穴に嵌合する上下２本のピンが植設された支持ブラケットによって、側板に形成された前側のダボ穴の縦列と後側のダボ穴の縦列との間隔よりも奥行き幅が狭い棚板を、隣り合う側板間に架設して、支持することができるようになっている。
【特許文献１】特開２００７−０６１２４２号公報
【発明の開示】
【発明が解決しようとする課題】
【０００３】
ところで、特許文献１に記載のような収納棚は、設置や組み立てに際して、例えば上記の支持ブラケットを始め、釘やビス、その他専用の金具等、種々の取付具を使用する場合がある。ところが、このように種々の取付具を使用すると、中には、例えば収納棚を固定するための金具が目立って外観を損なってしまうという問題があった。
【０００４】
しかしながら、このような問題を解決するために、例えば、収納棚を建物躯体に直接固定してから壁面や天井、床面等の内装材を付け替えたり、使用する板材の端部にサネを形成し、取付具を用いずに板材どうしを接合したり等の作業を行うと、収納棚の設置作業自体が大掛かりなものになってしまう場合があった。
【０００５】
本発明の課題は、収納棚の組み立てや設置の際に使用される種々の取付具をできるだけ遮蔽しつつ、収納棚を容易に設置することが可能な収納棚の設置構造を提供することを目的とする。
【課題を解決するための手段】
【０００６】
請求項１に記載の発明は、収納棚１の設置構造であり、例えば図１〜図３に示すように、床面５０から天井５１までの高さを有する複数の側板１０が、所定の間隔をあけて立設されており、これら複数の側板１０の上端部間に、天井５１に当接する天板２０が取り付けられるとともに、複数の側板１０の下端部間に、床面５０に当接する地板３０が取り付けられ、さらに複数の側板１０間に、これら複数の側板１０間に架け渡される棚板４０が上下方向に間隔をあけて複数取り付けられており、
前記複数の側板１０は、前記壁面５２に固定される一方の取付板部２ａと、この一方の取付板部２ａに直交して前記側板１０に固定される他方の取付板部２ｂとを備え、平面視Ｌ字状に形成された側板取付具２を介して、前記壁面５２に取付固定されており、
前記複数の棚板４０のうち、一部の棚板４０ａには、この一部の棚板４０ａの側端面を切り欠くことによって切欠部４０ｂが形成されており、この切欠部４０ｂに前記側板取付具２の他方の取付板部２ｂが収納されていることを特徴とする。
【０００７】
請求項１に記載の発明によれば、前記複数の側板１０は、前記側板取付具２の一方の取付板部２ａを壁面５２に固定するとともに、他方の取付板部２ｂを前記側板１０に固定することによって、前記壁面５２に取付固定されているので、このように壁面５２に固定された複数の側板１０間に、前記天板２０、地板３０および棚板４０を取り付けるだけで、収納棚１を壁面５２に対して容易に固定設置することができる。
しかも、前記複数の棚板４０のうち、一部の棚板４０ａには、この一部の棚板４０ａの側端面を切り欠くことによって切欠部４０ｂが形成されており、この切欠部に前記側板取付具２の他方の取付板部４０ｂが収納されているので、この一部の棚板４０ａによって前記側板取付具２を確実に遮蔽することができる。
【０００８】
請求項２に記載の発明は、例えば図３〜図６に示すように、請求項１に記載の収納棚１の設置構造において、
前記天板２０には、この天板２０の側端部上面および側端面に開放する孔部２１が形成されるとともに、この孔部２１には、前記側板１０から突出して設けられるダボ材１１が係合される係合部材４が設けられており、
前記天板２０は、前記ダボ材１１と前記係合部材４とが係合されることによって、前記複数の側板１０の上端部間に取り付けられていることを特徴とする。
【０００９】
請求項２に記載の発明によれば、前記天板２０には、この天板２０の側端部上面および側端面に開放する孔部２１が形成されるとともに、この孔部２１には、前記側板１０から突出して設けられるダボ材１１が係合される係合部材４が設けられており、前記天板２０は、前記ダボ材１１と前記係合部材４とが係合されることによって、前記複数の側板１０の上端部間に取り付けられているので、前記天板２０によって、前記係合部材４を確実に遮蔽できるとともに、前記ダボ材１１を確実に遮蔽することができる。しかも、このように前記天板２０を取り付けるに際して、この天板２０を前記複数の側板１０間に取り付けるためのダボ材１１および係合部材４を、天板２０自身によって遮蔽することができるので、天板２０の取付作業と、ダボ材１１および係合部材４の遮蔽作業とを同時に行うことが可能となり、効率が良い。
【００１０】
請求項３に記載の発明は、収納棚１Ａの設置構造であり、例えば図８〜図１０に示すように、床面５０Ａから天井５１Ａまでの高さを有する複数の側板１０Ａが、所定の間隔をあけて立設されており、これら複数の側板１０Ａの上端部間に、天井５１Ａに当接する天板２０Ａが取り付けられるとともに、複数の側板１０Ａの下端部間に、床面５０Ａに当接する地板３０Ａが取り付けられ、さらに複数の側板１０Ａ間に、これら複数の側板１０Ａ間に架け渡される棚板４０Ａが上下方向に間隔をあけて複数取り付けられており、
前記複数の側板１０Ａは、前記天井５１Ａに固定される一方の取付板部３Ａａと、この一方の取付板部３Ａａに直交して前記側板１０Ａの上端部に固定される他方の取付板部３Ａｂとを備え、正面視Ｌ字状に形成された側板取付具３Ａを介して、前記天井５１Ａに取付固定されており、
前記天板２０Ａには、この天板２０Ａの側端部上面を切り欠くことによって切欠部２１Ａが形成されており、この切欠部２１Ａに前記側板取付具３Ａが収納されていることを特徴とする。
【００１１】
請求項３に記載の発明によれば、前記複数の側板１０Ａは、前記側板取付具３Ａの一方の取付板部３Ａａを天井５１Ａに固定するとともに、他方の取付板部３Ａｂを前記側板１０Ａに固定することによって、前記天井５１Ａに取付固定されているので、このように天井５１Ａに固定された複数の側板１０Ａ間に、前記天板２０Ａ、地板３０Ａおよび棚板４０Ａを取り付けるだけで、収納棚１Ａを天井５１Ａに対して容易に固定設置することができる。そして、このように収納棚１Ａを前記天井５１Ａに対して固定設置できることから、収納棚１Ａを壁から離れた位置にも設置することが可能となるので、この収納棚１Ａを、例えば部屋の間仕切りのようにして使用することができる。
しかも、前記天板２０Ａには、この天板２０Ａの側端部上面を切り欠くことによって切欠部２１Ａが形成されており、この切欠部２１Ａに前記側板取付具３Ａが収納されているので、この天板２０Ａによって前記側板取付具３Ａを確実に遮蔽することができる。
【００１２】
請求項４に記載の発明は、例えば図１１および図１２に示すように、請求項１〜３のいずれか一項に記載の収納棚１（１Ａ）の設置構造において、
前記複数の側板１０（１０Ａ）は、前記床面５０（５０Ａ）に固定される一方の取付板部３ａ（３Ａａ）と、この一方の取付板部３ａ（３Ａａ）に直交して前記側板１０（１０Ａ）の下端部に固定される他方の取付板部３ｂ（３Ａｂ）とを備え、正面視Ｌ字状に形成された側板取付具３（３Ａ）を介して、前記床面５０（５０Ａ）に取付固定されており、
前記地板３０（３０Ａ）には、この地板３０（３０Ａ）の側端部下面を切り欠くことによって切欠部３１（３１Ａ）が形成されており、この切欠部３１（３１Ａ）に前記側板取付具３（３Ａ）が収納されていることを特徴とする。
【００１３】
請求項４に記載の発明によれば、前記複数の側板１０（１０Ａ）は、前記床面５０（５０Ａ）に固定される一方の取付板部３ａ（３Ａａ）と、この一方の取付板部３ａ（３Ａａ）に直交して前記側板１０（１０Ａ）の下端部に固定される他方の取付板部３ｂ（３Ａｂ）とを備え、正面視Ｌ字状に形成された側板取付具３（３Ａ）を介して、前記床面５０（５０Ａ）に取付固定されており、前記地板３０（３０Ａ）には、この地板３０（３０Ａ）の側端部下面を切り欠くことによって切欠部３１（３１Ａ）が形成されており、この切欠部３１（３１Ａ）に前記側板取付具３（３Ａ）が収納されているので、この地板３０（３０Ａ）によって前記側板取付具３（３Ａ）を確実に遮蔽することができる。
【００１４】
請求項５に記載の発明は、例えば図１３および図１４に示すように、請求項１〜４のいずれか一項に記載の収納棚１（１Ａ）の設置構造において、
前記棚板４０（４０Ａ）には、この側板１０（１０Ａ）の側端部下面および側端面に開放する孔部４１（４１Ａ）が形成されるとともに、この孔部４１（４１Ａ）には、前記側板１０（１０Ａ）から突出して設けられるダボ材１１（１１Ａ）が係合される係合部材４（４Ａ）が設けられており、
前記棚板４０（４０Ａ）は、前記ダボ材１１（１１Ａ）と前記係合部材４（４Ａ）とが係合されることによって、前記複数の側板１０（１０Ａ）間に取り付けられていることを特徴とする。
【００１５】
請求項５に記載の発明によれば、前記棚板４０（４０Ａ）には、この側板１０（１０Ａ）の側端部下面および側端面に開放する孔部４１（４１Ａ）が形成されるとともに、この孔部４１（４１Ａ）には、前記側板１０（１０Ａ）から突出して設けられるダボ材１１（１１Ａ）が係合される係合部材４（４Ａ）が設けられており、前記棚板４０（４０Ａ）は、前記ダボ材１１（１１Ａ）と前記係合部材４（４Ａ）とが係合されることによって、前記複数の側板１０（１０Ａ）間に取り付けられているので、前記棚板４０（４０Ａ）によって、前記ダボ材１１（１１Ａ）を確実に遮蔽することができる。しかも、このように前記棚板４０（４０Ａ）を取り付けるに際して、この棚板４０（４０Ａ）を前記複数の側板１０（１０Ａ）間に取り付けるためのダボ材１１（１１Ａ）を、棚板４０（４０Ａ）自身によって遮蔽することができるので、棚板４０（４０Ａ）の取付作業と、ダボ材１１（１１Ａ）の遮蔽作業とを同時に行うことが可能となり、効率が良い。
【発明の効果】
【００１６】
本発明によれば、収納棚の組み立てや設置の際に使用される種々の取付具をできるだけ遮蔽しつつ、収納棚を容易に設置することが可能となる。しかも、収納棚を構成する各板材の取付作業と、取付具の遮蔽作業とを同時に行うことができるので、効率が良い。
【発明を実施するための最良の形態】
【００１７】
以下、図面を参照して本発明の実施の形態について説明する。
【００１８】
［第１の実施の形態］
本実施の形態の収納棚１の設置構造は、図１〜図３に示すように、床面５０から天井５１までの高さを有する複数の側板１０が、所定の間隔をあけて立設されており、これら複数の側板１０の上端部間に、天井５１に当接する天板２０が取り付けられるとともに、複数の側板１０の下端部間に、床面５０に当接する地板３０が取り付けられ、さらに複数の側板１０間に、これら複数の側板１０間に架け渡される棚板４０が上下方向に間隔をあけて複数取り付けられており、前記複数の側板１０は、前記壁面５２に固定される一方の取付板部２ａと、この一方の取付板部２ａに直交して前記側板１０に固定される他方の取付板部２ｂとを備え、平面視Ｌ字状に形成された側板取付具２を介して、前記壁面５２に取付固定されており、前記複数の棚板４０のうち、一部の棚板４０ａには、この一部の棚板４０ａの側端面を切り欠くことによって切欠部４０ｂが形成されており、この切欠部４０ｂに前記側板取付具２の他方の取付板部２ｂが収納されている。
【００１９】
さらに、本実施の形態において前記複数の側板１０は、前記床面５０に固定される一方の取付板部３ａと、この一方の取付板部３ａに直交して前記側板１０の下端部に固定される他方の取付板部３ｂとを備え、正面視Ｌ字状に形成された側板取付具３を介して、前記床面５０に取付固定されている。
【００２０】
前記側板１０は、床面５０から天井５１までの高さを有しているとともに、所定の奥行き寸法を有している。すなわち、この側板１０の高さ寸法および奥行き寸法は、組み立てられる収納棚１の高さ寸法と奥行き寸法とを決定するものである。
【００２１】
また、図３に示すように、前記側板１０の少なくとも一面側に、前記棚板４０を支持するためのダボ材１１が挿入嵌合されるダボ穴１１ａが、縦方向に等間隔で並んで形成されており、さらに、このダボ穴１１ａの縦列が、側板１０の奥行き方向の前方および後方に２列に並んで形成されている。
また、この側板１０の両側に前記棚板４０が設けられる場合は、側板１０の両面に、前記ダボ穴１１ａの２本の縦列がそれぞれ形成されている。
これらダボ穴１１ａには、前記棚板４０を支持するためのダボ材１１を、あらかじめ挿入嵌合して設けておくようにしてもよい。
【００２２】
なお、前記ダボ穴１１ａは、前記側板１０の最上部近傍まで形成されているが、側板１０の下端部近傍までは形成されていない。これは、前記側板１０の下端部をカットすることによって、この側板１０の高さ寸法を、収納棚１が設けられる住宅の床面５０から天井５１面までの高さに合わせるためである。
【００２３】
そして、前記側板１０を壁面５２に取付固定するための前記側板取付具２は、図２に示すように、前記壁面５２に固定される一方の取付板部２ａと、この一方の取付板部２ａに直交して前記側板１０に固定される他方の取付板部２ｂとを備え、平面視Ｌ字状に形成されている。前記一方の取付板部２ａには、壁に対して確実に止着できるように、若干長めの止着材２ｃが用いられ、前記他方の取付板部２ｂには、前記側板１０を貫通しない程度の止着材２ｄが用いられている。
また、前記一方の取付板部２ａの固定に使用される止着材２ｃを壁に取り付ける際に、例えば壁内が空洞であった場合は、専用のアンカー部材２ｅ等を用いて、確実かつ強固に側板取付具２を取付固定する必要がある。
【００２４】
前記天板２０は、前記複数の側板１０の上端部間に取り付けられるものであり、所定の幅寸法を有している。すなわち、この天板２０の幅寸法は、前記地板３０および棚板４０とともに、組み立てられる収納棚１の幅寸法の基準となるものである。つまり、これら天板２０、地板３０および棚板４０を幅方向に何枚並べるかによって、収納棚１の大体の幅寸法が決定され、これに前記側板１０の厚さ寸法を加えることで、組み立てられる収納棚１の幅寸法が決定される。
【００２５】
また、図３および図４に示すように、この天板２０には、天板２０の側端部上面および側端面に開放されて形成された孔部２１に、前記側板１０のダボ穴１１ａに挿入嵌合されたダボ材１１が係合される係合部材４が設けられている。そして、前記天板２０は、前記ダボ材１１と前記係合部材４とが係合されることによって、前記複数の側板１０の上端部間に取り付けられている。
【００２６】
なお、前記係合部材４は、図５および図６に示すように、前記天板２０の側端部上面および側端面に開放されて形成された孔部２１に設けられる本体部５と、この本体部５内に設けられ、本体部５の周方向に沿って回転可能な回転体６とを備えている。また、この回転体６の内部は空隙となっている。
さらに、前記本体部５の正面部５ａにはアーチ状の第１孔５ｂが形成され、前記回転体６の周壁６ａには径方向に沿って形成され、前記第１孔５ｂと重なる第２孔６ｂが形成されている。この第２孔６ｂは、前記回転体６を前記本体部５の径方向に沿って回転させることによって徐々に細くなっていく長孔状になっている。
そして、前記第１孔５ｂおよび第２孔６ｂには、前記ダボ材１１の側板１０からの突出部分が挿入されるようになっており、これら第１孔５ｂおよび第２孔６ｂにダボ材１１を挿入した状態で前記回転体６を回転させると、前記第２孔６ｂが徐々に細くなっていくので、最終的には、この第２孔６ｂの長さ方向端部にダボ材１１が当たって回転体６の回転が止まり、ダボ材１１を締め付けできるようになっている。以上のようにして、前記ダボ材１１と係合部材４との係合がなされるようになっている。
【００２７】
また、前記回転体６の内部は空隙となっているので、例えば図５に示すように、前記ダボ材１１の突出端部に、ダボ材１１よりも径寸法が大きく、かつ回転体６の空隙に挿入可能な頭部１１ｂを形成することで、前記ダボ材１１と係合部材４との係合状態をより強固なものとすることができる。
【００２８】
さらに、前記回転体６の上面および下面には、前記本体部５から露出するようにして溝６ｃが形成されており、この溝６ｃを利用し、ドライバー等の工具Ｄによって、前記回転体６を回転できるようになっている。
なお、図６に示すように、前記天板２０の下面には、工具Ｄの先端を差し込むための差込孔２２が形成されており、この差込孔２２と前記回転体６の溝６ｃの位置とが対応している。また、前記ダボ材１１と係合部材４とを係合させた後は、図７に示すように、前記天板２０の下面に、前記差込孔２２を塞ぐための化粧シール７を貼り付けるようにすると好ましい。
また、本実施の形態における収納棚１が吹き抜けの部屋などに設けられる場合は、図７に示すように、前記天板２０の上面に露出する係合部材４に取付可能なカバー材４ａを設けるようにしてもよい。
【００２９】
前記地板３０は、図３に示すように、前記複数の側板１０の下端部間に取り付けられるものであり、所定の幅寸法を有している。すなわち、この地板３０の幅寸法とは、前記天板２０および棚板４０とともに、組み立てられる収納棚１の幅寸法の基準となるものである。
【００３０】
また、図１１および図１２に示すように、前記地板３０には、この地板３０の側端部下面を切り欠くことによって切欠部３１が形成されており、この切欠部３１に前記側板取付具３が収納されている。つまり、この地板３０は、前記切欠部３１内に前記側板取付具３を収納するようにして、前記複数の側板１０の下端部間に取り付けられている。
さらに、前記地板３０は、図１２に示すように、止着材３２を用いて前記床面５０に固定されており、前記止着材３２の頭部表面に、前記地板３０と同系色の化粧シール７が貼り付けられている。
【００３１】
ここで、前記側板取付具３は、上述したように、前記床面５０に固定される一方の取付板部３ａと、この一方の取付板部３ａに直交して前記側板１０の下端部に固定される他方の取付板部３ｂとを備え、正面視Ｌ字状に形成されている。そして、図１１に示すように、前記一方の取付板部３ａには、床に対して確実に止着できるように、若干長めの止着材３ｃが用いられ、前記他方の取付板部３ｂには、前記側板１０を貫通しない程度の止着材３ｄが用いられている。
【００３２】
前記棚板４０は、図３に示すように、前記複数の側板１０間に取り付けられるものであり、所定の幅寸法を有している。すなわち、この棚板４０の幅寸法は、前記天板２０および地板３０とともに、組み立てられる収納棚１の幅寸法の基準となるものである。つまり、これら天板２０、地板３０および棚板４０は、同一の幅寸法に設定されている。
【００３３】
また、図１３に示すように、前記棚板４０には、この側板１０の側端部下面および側端面に開放されて形成された孔部４１に、前記ダボ材１１が係合される係合部材４が設けられており、前記棚板４０は、前記ダボ材１１と前記係合部材４とが係合されることによって、前記複数の側板１０間に取り付けられている。
さらに、前記棚板４０の下面に露出する係合部材４には、図１４に示すように、この係合部材４に取付可能なカバー材４ａが設けられている。
【００３４】
なお、前記棚板４０における前記ダボ材１１および係合部材４の形態や、これらダボ材１１と係合部材４との係合状態については、上述した天板２０におけるダボ材１１および係合部材４のものと略同様であるため、説明を省略する。すなわち、本実施の形態におけるダボ材１１および係合部材４は、同じものが複数用意されており、これらを前記天板２０および棚板４０の取り付けに用いることができるようになっている。
【００３５】
また、上述したように、本実施の形態における複数の棚板４０のうち、一部の棚板４０ａには、この一部の棚板４０ａの側端面を切り欠くことによって切欠部４０ｂが形成されており、この切欠部４０ｂに前記側板取付具２の他方の取付板部２ｂが収納されている。つまり、この一部の棚板４０ａは、前記切欠部４０ｂ内に前記側板取付具２の他方の取付板部２ｂを収納するようにして、前記複数の側板１０間に取り付けられている。
すなわち、前記切欠部４０ｂの切り欠き形状は、前記側板取付具２の他方の取付板部２ｂの形状、大きさに合わせて形成されている。
【００３６】
次に、本実施の形態における収納棚１の組み立て設置方法について説明する。
【００３７】
本実施の形態における収納棚１には背板を設けない形態となっているので、まずは、前記壁面５２にクロスを予め貼り付けておく。また、本実施の形態においては、壁面５２と床面５０との交差部分に幅木を設けない形態となっているが、幅木を設ける際は、前記複数の側板１０の下端部背面側に、幅木を嵌め込むための切欠を形成しておく。
【００３８】
また、前記複数の側板１０、天板２０、地板３０および棚板４０に形成されるダボ穴１１ａや孔部４１、切欠部４０ｂ等は、予め工場等で形成しておくようにし、前記孔部４１には前記係合部材４を取り付けておき、現場での手間を軽減できるようにする。
なお、現場においては、前記側板１０の高さを調整するために側板１０の下端部をカットする作業と、壁内が空洞である場合において前記アンカー部材２ｅを設ける作業と、収納棚１を隣り合う袖壁間に設置する場合において側板１０に対して調整用下地材を取り付けておく作業とを、前準備として行う。
【００３９】
続いて、収納棚１を組み立てる。まずは、図２および図３に示すように、前記複数の側板１０を、前記側板取付具２を用いて壁面５２に取付固定する。この時、前記複数の側板１０どうしの間隔は、前記天板２０、地板３０および棚板４０の幅寸法に合わせる。また、前記ダボ穴１１ａに対してダボ材１１を挿入嵌合させておく。
なお、収納棚１を寝かせた状態のまま組み立ててしまうと、起こすことができなくなるので、前記複数の側板１０を壁面５２に取付固定してから、前記天板２０、地板３０および棚板４０の取り付けを行う。
【００４０】
続いて、図３〜図６に示すように、前記ダボ材１１と係合部材４とを係合させるようにして、前記天板２０を前記複数の側板１０の上端部間に取り付ける。
さらに、前記複数の側板１０を、前記側板取付具３を用いて床面５０に取付固定するとともに、前記地板３０を前記複数の側板１０の下端部間に取り付ける。
【００４１】
そして、前記複数の棚板４０を設ける際は、まず、前記切欠部４０ｂが形成された一部の棚板４０ａを、前記切欠部４０ｂと側板取付具２とを係合させるようにして、前記複数の側板１０間に取り付ける。その後、前記複数の棚板４０の全てを、複数の側板１０間に取り付ける。
【００４２】
このように、収納棚１の組み立てが終了したら、図７に示すように、前記天板２０の下面に、前記化粧シール７を貼り付けて前記差込孔２２を塞ぐ。また、同じように、前記地板３０を床面５０に固定するための止着材３２の頭部表面に、前記同系色の化粧シール７を貼り付ける。
また、前記複数の棚板４０の下面に露出する係合部材４に、図１４に示すように、この係合部材４に取付可能なカバー材４ａを設ける。
以上のようにして、本実施の形態における収納棚１を組み立てて、設置することができる。なお、図１が、収納棚１の組み立て、設置完了図となる。
【００４３】
本実施の形態によれば、前記複数の側板１０は、前記側板取付具２の一方の取付板部２ａを壁面５２に固定するとともに、他方の取付板部２ｂを前記側板１０に固定することによって、前記壁面５２に取付固定されているので、このように壁面５２に固定された複数の側板１０間に、前記天板２０、地板３０および棚板４０を取り付けるだけで、収納棚１を壁面５２に対して容易に固定設置することができる。
しかも、前記複数の棚板４０のうち、一部の棚板４０ａには、この一部の棚板４０ａの側端面を切り欠くことによって切欠部４０ｂが形成されており、この切欠部４０ｂに前記側板取付具２が収納されているので、この一部の棚板４０ａによって前記側板取付具２を確実に遮蔽することができる。
【００４４】
また、前記天板２０によって、前記係合部材４を確実に遮蔽できるとともに、前記ダボ材１１を確実に遮蔽することができる。
しかも、このように前記天板２０を取り付けるに際して、この天板２０を前記複数の側板１０間に取り付けるためのダボ材１１および係合部材４を、天板２０自身によって遮蔽することができるので、天板２０の取付作業と、ダボ材１１および係合部材４の遮蔽作業とを同時に行うことが可能となり、効率が良い。
【００４５】
また、前記地板３０は、前記切欠部３１に前記側板取付具３が収納されているので、この地板３０によって前記側板取付具３を確実に遮蔽することができる。
【００４６】
さらに、前記複数の棚板４０によって、前記ダボ材１１を確実に遮蔽することが可能となっている。
しかも、このように前記棚板４０を取り付けるに際して、この棚板４０を前記複数の側板１０間に取り付けるためのダボ材１１を、棚板４０自身によって遮蔽することができるので、棚板４０の取付作業と、ダボ材１１の遮蔽作業とを同時に行うことが可能となり、効率が良い。
【００４７】
［第２の実施の形態］
次に、図面を参照して本発明の第２の実施の形態について説明する。なお、説明の便宜上、上述した第１の実施の形態とは異なる構成部分のみについて説明する。
【００４８】
本実施の形態の収納棚１Ａの設置構造は、図８〜図１０に示すように、床面５０Ａから天井５１Ａまでの高さを有する複数の側板１０Ａが、所定の間隔をあけて立設されており、これら複数の側板１０Ａの上端部間に、天井５１Ａに当接する天板２０Ａが取り付けられるとともに、複数の側板１０Ａの下端部間に、床面５０Ａに当接する地板３０Ａが取り付けられ、さらに複数の側板１０Ａ間に、これら複数の側板１０Ａ間に架け渡される棚板４０Ａが上下方向に間隔をあけて複数取り付けられており、前記複数の側板１０Ａは、前記天井５１Ａに固定される一方の取付板部３Ａａと、この一方の取付板部３Ａａに直交して前記側板１０Ａの上端部に固定される他方の取付板部３Ａｂとを備え、正面視Ｌ字状に形成された側板取付具３Ａを介して、前記天井５１Ａに取付固定されており、前記天板２０Ａには、この天板２０Ａの側端部上面を切り欠くことによって切欠部２１Ａが形成されており、この切欠部２１Ａに前記側板取付具３Ａが収納されている。
【００４９】
前記天板２０Ａは、このように前記複数の側板１０Ａの上端部間に取り付けられるものであり、所定の幅寸法を有している。すなわち、この天板２０Ａの幅寸法は、前記地板３０Ａおよび棚板４０Ａとともに、組み立てられる収納棚１Ａの幅寸法の基準となるものである。つまり、これら天板２０Ａ、地板３０Ａおよび棚板４０Ａを幅方向に何枚並べるかによって、収納棚１Ａの大体の幅寸法が決定され、これに前記側板１０Ａの厚さ寸法を加えることで、組み立てられる収納棚１Ａの幅寸法が決定される。
【００５０】
ここで、前記側板取付具３Ａは、上述したように、前記天井５１Ａに固定される一方の取付板部３Ａａと、この一方の取付板部３Ａａに直交して前記側板１０Ａの上端部に固定される他方の取付板部３Ａｂとを備え、正面視Ｌ字状に形成されている。そして、図１０に示すように、前記一方の取付板部３Ａａには、天井５１Ａに対して確実に止着できるように、若干長めの止着材３Ａｃが用いられ、前記他方の取付板部３Ａｂには、前記側板１０Ａを貫通しない程度の止着材３Ａｄが用いられている。
【００５１】
さらに、前記天板２０Ａは、図１０に示すように、止着材２２Ａを用いて前記天井５１Ａに固定されており、前記止着材２２Ａの頭部表面に、前記天板２０Ａと同系色の化粧シール７Ａが貼り付けられている。
そして、以上のように前記側板取付具３Ａを用いて、前記複数の側板１０Ａを天井５１Ａに対して固定することができるので、収納棚１Ａを壁から離れた位置にも設置することが可能となり、この収納棚１Ａを、例えば部屋の間仕切りのようにして使用することができる。
【００５２】
なお、本実施の形態の側板取付具３Ａにおいて、前記側板１０Ａを前記天井５１Ａに取り付けるためのものと、前記側板１０Ａを前記床面５０Ａに取り付けるためのものは同一形状のものが用いられている。
【００５３】
本実施の形態によれば、前記複数の側板１０Ａは、前記側板取付具３Ａの一方の取付板部３Ａａを天井５１Ａに固定するとともに、他方の取付板部３Ａｂを前記側板１０Ａに固定することによって、前記天井５１Ａに取付固定されているので、このように天井５１Ａに固定された複数の側板１０Ａ間に、前記天板２０Ａ、地板３０Ａおよび棚板４０Ａを取り付けるだけで、収納棚１Ａを天井５１Ａに対して容易に固定設置することができる。そして、上述のように収納棚１Ａを、部屋の間仕切りのようにして使用することができる。
しかも、前記天板２０Ａには、この天板２０Ａの側端部上面を切り欠くことによって切欠部２１Ａが形成されており、この切欠部２１Ａに側板取付具３Ａが収納されているので、この天板２０Ａによって前記側板取付具３Ａを確実に遮蔽することができる。
【図面の簡単な説明】
【００５４】
【図１】本発明の第１の実施の形態に係る収納棚の設置構造を示す斜視図である。
【図２】図１に示す収納棚の側板の取付形態を示す斜視図である。
【図３】図１に示す収納棚の一部を分解した状態を示す斜視図である。
【図４】図１に示す収納棚の上部を示す斜視図である。
【図５】係合部材であり、（ａ）は回転体の回転前の状態を示し、（ｂ）は回転体の回転後の状態を示す正面図である。
【図６】図１に示す収納棚の天板の取付形態を示す斜視図である。
【図７】図１に示す収納棚の天板に化粧を施す際の形態を示す斜視図である。
【図８】本発明の第２の実施の形態に係る収納棚の設置構造を示す斜視図である。
【図９】図８に示す収納棚の上部を示す斜視図である。
【図１０】図８に示す収納棚の天板の取付形態を示す斜視図である。
【図１１】図１および図８に示す収納棚の地板の取付形態を示す斜視図である。
【図１２】図１および図８に示す収納棚の地板の固定形態を示す斜視図である。
【図１３】図１および図８に示す収納棚の棚板の取付形態を示す斜視図である。
【図１４】図１および図８に示す収納棚の地板に化粧を施す際の形態を示す斜視図である。
【符号の説明】
【００５５】
１  収納棚
２  側板取付具
１０  側板
２０  天板
３０  地板
４０  棚板
４０ａ  一部の棚板
４０ｂ  切欠部
５０  床面
５１  天井
５２  壁面
【図１】
2008279115.tif 000003
【図２】
2008279115.tif 000004
【図３】
2008279115.tif 000005
【図４】
2008279115.tif 000006
【図５】
2008279115.tif 000007
【図６】
2008279115.tif 000008
【図７】
2008279115.tif 000009
【図８】
2008279115.tif 000010
【図９】
2008279115.tif 000011
【図１０】
2008279115.tif 000012
【図１１】
2008279115.tif 000013
【図１２】
2008279115.tif 000014
【図１３】
2008279115.tif 000015
【図１４】
2008279115.tif 000016